【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
画面として局部的に制御可能な明度フィルタと、
背景照明のための放電ランプとを備え、前記放電ランプは、
底板と、
少なくとも部分的に光透過性である光出射用の蓋板と、
放電媒体を収容するために底板と蓋板の間にある放電空間と、
放電媒体に誘電体バリア放電を生成するための電極セットと、
電極セットの少なくとも一部と放電媒体との間の誘電体層とを有し、
電極セットは互いに別々に制御可能である場所的に分離されたグループに区分され、
明度フィルタはラインごとに制御される画素を有し、
電極グループは画素のラインに対して平行な条帯を形成している表示装置において、
前記表示装置は、明度画像情報を相応のラインへ新たに書き込むための画素の制御と同期して、他の動作段階よりも明るく電極グループを作動させるように設計されていることを特徴とする表示装置。
【請求項２】
電極グループの明動作の連続する動作段階はそれぞれ時間的な相互のオーバーラップを有する請求項１に記載の表示装置。
【請求項３】
放電ランプはパルス方式で作動し、電極グループの相応のパルス動作は互いに同期化されている請求項１又は２に記載の表示装置。
【請求項４】
明動作の動作段階に関与しない電極グループは遮断された状態に保たれる請求項１乃至３の１つに記載の表示装置。
【請求項５】
放電ランプへの給電を行うための電子安定器を備え、この電子安定器が各電極グループのために固有の最終段を有する請求項１乃至４の１つに記載の表示装置。
【請求項６】
明度情報の新たな書き込みのときに画素の制御と同期して作動するべき各電極グループは同じく別々に作動可能な少なくとも２つの電極下位グループに区分され、
放電ランプは各電極下位グループについて、それぞれ１つまたは複数の他の放電グループとは異なる色を有する固有の蛍光体層を有し、
それにより、電極下位グループの時間的にシーケンシャルな動作によって、付属の画素を時間的にシーケンシャルに異なる色で背景照明することができる請求項１乃至５の１つに記載の表示装置。
【請求項７】
陽極および陰極自体が特徴を有し、互いに区別可能であり、かつ条帯状に構成され、
少なくとも陽極は誘電体層により放電媒体から分離され、
陰極および陽極は縁部領域を除いてそれぞれ対をなして設けられ、すなわち各陽極が１つの陽極と１つの陰極とに隣接し、各陰極が１つの陰極と１つの陽極とに隣接している請求項１乃至６の１つに記載の表示装置。
【請求項８】
電極は、個々の放電構造を位置特定するために、残りの陽極と比較して明確な突起を具えた陰極を有する請求項１乃至７の１つに記載の表示装置。
【請求項９】
突起は縁部領域において中央領域よりも稠密に位置している請求項８に記載の表示装置。
【請求項１０】
陰極対の突起は条帯方向に沿って交互に配されている請求項８又は９に記載の表示装置。
【請求項１１】
１対の電極間の間隔はその次に隣接する極性の異なる電極との間隔よりも小さい請求項７乃至１０の１つに記載の表示装置。
【請求項１２】
陽極と陰極との間の最小の放電間隔は少なくとも１０ｍｍである請求項１乃至１１の１つに記載の表示装置。
【請求項１３】
底板と蓋板とを相互の支持のために結合させ、底板および蓋板の相互の線状の当接部を備えるようにリブ状に構成された少なくとも１つの支持要素を備え、
電極の主方向はリブ状の支持要素に対して平行に延び、
支持要素によって分離されている放電空間の各部分にそれぞれ少なくとも２つの極性の異なる電極が付設され、
これらの電極は放電領域において、支持要素の領域における底板と蓋板との線状の当接部から間隔をおいている請求項１乃至１２の１つに記載の表示装置。
【請求項１４】
互いに平行に延びる多数のリブ状の支持要素が設けられ、支持要素によって分離されている放電空間の各部分にそれぞれ少なくとも２つの極性の異なる電極が付設されている請求項１３に記載の表示装置。
【請求項１５】
１つもしくは複数の支持要素は底板および蓋板のうちの一方に一体的に成形されている請求項１３又は１４記載の表示装置。
【手続補正２】
【補正対象書類名】明細書
【補正対象項目名】０００６
【補正方法】変更
【補正の内容】
【０００６】
本発明の好ましい実施態様は次の通りである。
(1) 電極グループの明動作の連続する動作段階はそれぞれ時間的な相互のオーバーラップを有する。
(2) 放電ランプはパルス方式で作動し、電極グループの相応のパルス動作は互いに同期化されている。
(3) 明動作の動作段階に関与しない電極グループは遮断された状態に保たれる。
(4) 放電ランプへの給電を行うための電子安定器を備え、この電子安定器が各電極グループのために固有の最終段を有する。
(5) 明度情報の新たな書き込みのときに画素の制御と同期して作動するべき各電極グループは同じく別々に作動可能な少なくとも２つの電極下位グループに区分され、放電ランプは各電極下位グループについて、それぞれ１つまたは複数の他の放電グループとは異なる色を有する固有の蛍光体層を有し、それにより、電極下位グループの時間的にシーケンシャルな動作によって、付属の画素を時間的にシーケンシャルに異なる色で背景照明することができる。
(6) 陽極および陰極自体が特徴を有し、互いに区別可能であり、かつ条帯状に構成され、少なくとも陽極は誘電体層により放電媒体から分離され、陰極および陽極は縁部領域を除いてそれぞれ対をなして設けられ、すなわち各陽極が１つの陽極と１つの陰極とに隣接し、各陰極が１つの陰極と１つの陽極とに隣接している。
(7) 電極は、個々の放電構造を位置特定するために、残りの陽極と比較して明確な突起を具えた陰極を有する。
突起は縁部領域において中央領域よりも稠密に位置している。
陰極対の突起は条帯方向に沿って交互に配されている。１対の電極間の間隔はその次に隣接する極性の異なる電極との間隔よりも小さい。
(8) 陽極と陰極との間の最小の放電間隔は少なくとも１０ｍｍである。
(9) 底板と蓋板とを相互の支持のために結合させ、底板および蓋板の相互の線状の当接部を備えるようにリブ状に構成された少なくとも１つの支持要素を備え、電極の主方向はリブ状の支持要素に対して平行に延び、支持要素によって分離されている放電空間の各部分にそれぞれ少なくとも２つの極性の異なる電極が付設され、これらの電極は放電領域において、支持要素の領域における底板と蓋板との線状の当接部から間隔をおいている。
互いに平行に延びる多数のリブ状の支持要素が設けられ、支持要素によって分離されている放電空間の各部分にそれぞれ少なくとも２つの極性の異なる電極が付設されている。
１つもしくは複数の支持要素は光透過性の材料で構成されている。
１つもしくは複数の支持要素は底板および蓋板のうちの一方に一体的に成形されている。
１つもしくは複数の支持要素は底板および蓋板のうちのそれぞれ他方との間で３５°〜５５°の角度を形成している。
底板および蓋板のうちの一方は支持要素との間で円形凹面状に湾曲している。
(10) 蓋板および底板は０．８〜１．１ｍｍの厚みを有する。
(11) １つもしくは複数の支持要素は蓋板および底板のうちのそれぞれ他方に当接しているだけである。
(12) 電極は蓋板および底板を有する放電容器の外部に設けられている。
(13) 電極はグループごとに制御可能である。
(14) 放電ランプの単極点灯のために電子安定器と組み合わされ、電極は縁部領域を除いてそれぞれ同じ極性で対をなして設けられ、すなわち各陽極が極性の同じ１つの電極と極性の異なる１つの電極とに隣接している。